(57)【要約】【課題】従来の洗濯用ピンチハンガーでは、全てのピンチを最大限有効活用すると、間隔が狭く洗濯物が重なったり、干す物や干し方によっては利用不可なピンチが生じたりする問題点や干した下の空間の有効活用の提案がされていない状態下で設置されたピンチ全ての効果的な有効活用のみならず、空いた空間での利用、又干した下の空間の有効活用や他様々な生活パターンに合った利用方法につながる手段を提供する。【解決方法】コードリールの先端にハンガー本体取付け具を設け、コードリールの他端に洗濯物保持具を取付けたコードリール式洗濯ピンチ。【選択図】図１
2018015518.tif 000002
【特許請求の範囲】
【請求項１】
コードリールの先端にハンガー本体取付け具を設け、コードリールの他端に洗濯物保持具を取付けたコードリール式洗濯ピンチ。
【発明の詳細な説明】
【技術分野】
【０００１】  本発明は、洗濯干し用ピンチハンガーなどに付いているピンチ（洗濯バサミ）がコードリールと一体化する事により長さを自由に調整でき、反対側先端にカードリング等取り付け、既存のピンチと取り替えて利用する固定用と、クリップ等を取り付けつけどこでも設置できるクリップ用のコードリール式洗濯ピンチに関するものである。
【背景技術】
【０００２】  本来、洗濯干し用ピンチハンガーは、限られた空間・場所・状況で、より多くの洗濯物をより効率良く乾かす為の優れた道具であり、家庭など洗濯物を干す状況でとても多く用いられている。【０００３】  従来、洗濯干し用ピンチハンガーに付いているピンチは洗濯バサミ状となり、全て高さは同一で最大限たくさん干せるようになるべく多くのピンチが取り付けられている。【０００４】  又、横縦などピンチが並んでいる形状のものが多く、各ピンチにハンカチや靴下など小物を干すだけでなくタオルや履物などは両端のピンチのみを利用し洗濯物を広げて干す事もできる。【０００５】  左右前後中央部分真ん中あたりまでたくさんのピンチが取り付けられている事も多く、洗濯物の種類や生活パターンに合わせて干し方を工夫する事が出来る。【０００６】  従来洗濯物干しは日当たりを重視するために高い場所に干す事が多いが、同時に外から見えやすくなり、下着など目線を外して干したい場合は問題点もある。
【先行技術文献】
【特許文献】
【０００７】
【特許文献１】  特開２００９−００６１０５  号  公報
【発明の概要】
【発明が解決しようとする課題】
【０００８】  しかしながら、特許文献１のピンチハンガーではたくさん干せるようにたくさん取り付けられているピンチに洗濯物を干すと、高さが同一である為、必然的に間隔が狭くなり、日当たりのいい外側の位置でも、風通しが悪くなったり洗濯物同士が重なったりし乾きにくい場合が多い。【０００９】  この問題点を解決する為にピンチ交互に干すなど間隔をあけると、利用しないピンチが生じ、最大限たくさん干すことが出来ない。【００１０】  干す物の形状により干し方を工夫し、両端のピンチを利用し洗濯物を広げて干す事も出来るが、その場合、両端の間のピンチは利用不可となり、これもまた無駄なピンチが生じてしまうことになる。【００１１】  多くのピンチが取り付けられている場合、真ん中中央部分は洗濯物が密集し囲まれ、日当たりは勿論風通しも悪く乾きにくい状態になる。【００１２】  本来高い場所に干す場合が多い為、下の部分の空間は空いている場合が多いと思われるが特別有効活用されておらず、空間が無駄となり、より良い提案がなされていない。【００１３】  よって、高さを簡単に自由自在に調節でき、クリップ用においては、どこでも取り付けられる事によりあらゆる場合・状況でも従来の物よりも、より効率良く、より有効的に、より多くの洗濯ものを干す事が出来る、コードリール式洗濯ピンチを提供するものとし、本発明は以上の問題点を解決するものである。
【課題を解決するための手段】
【００１４】  コードリールの先端にハンガー本体取付け具を設け、コードリールの他端に洗濯物保持具を取付けたコードリール式洗濯ピンチ。
【発明の効果】
【００１５】  本発明では、たくさんあるピンチそれぞれの高さを洗濯物の種類・形状によって調節し、洗濯物の重なりを避け、風通しや日当たりよく干す事が出来る。【００１６】  又従来利用されてなかった下の空間を利用して、今までより多くの洗濯物を干す事が出来る。【００１７】  ピンチハンガー真ん中中央部分では洗濯物が密集し囲まれる事で乾きにくい状況も少なくないが高さを調整し他の洗濯物とずらす事で風通しよくする。【００１８】  下着など外からの目線を外して干したい場合など、高さを調整し低い位置で干す事で、外からの目線を外しやすい状態とする。【００１９】  又、浴室乾燥の場合、浴槽の上部分の竿を使用しての利用となり、その特質により浴室全体が乾燥空間となるにも関わらず、極めて限られた空間の限られた部分での乾燥となり限界が大きいが、本発明を利用して現状より低い部分に干す事が出来ることで、一度の浴室乾燥利用に今までより多くの洗濯物が干す事ができ、省エネにも役立つものである。【００２０】  ピンチハンガーにとどまらず、通常ハンガーやその他の従来品に取り付ける事で、限られた空間・場所でよりたくさんの洗濯物を干す事はもとより、用途・使用方法によってありとあらゆる活用が考えられるものである。
【図面の簡単な説明】
【図１】本発明の本体部の実施例を示す斜視図
【図２】本発明の本体部の実施例を示す斜視図
【図３】本発明の使用状況図
【発明を実施するための形態】
【００２１】  以下、本発明の実施形態を説明する。
（イ）コードリール（１）とは、紐を収納する巻き取り機構を有し、当該機構又は紐の先      端部に接続具が付属されるものをいう。
（ロ）コードリール（１）上部先端に、実施例であるカードリング（２）やクリップ（４      ）など洗濯ハンガー本体（６）への接続具を取り付ける。
（ハ）コードリール（１）下部他端に実施例であるピンチ（３）などの洗濯物保持具を取      り付ける。
（ニ）洗濯ハンガー本体（６）に従来取り付けられている長さ固定の洗濯物保持具の取り      付け穴（５）にカードリング（２）などの固定できる洗濯ハンガー本体接続具を取      り付ける。
（ホ）又はクリップ（４）などの取り付け場所を選んで留め置きできる洗濯ハンガー本体      接続具を必要箇所に取り付ける。
本発明は以上のような構造である。
【００２２】  本発明を使用するときは、用途・状況・必要に応じて、カードリング（２）やクリップ（４）などの洗濯ハンガー本体接続具を希望の場所に取り付ける。ピンチ（３）などの洗濯物保持具あたりを持ち、必要な高さまで引き下げ、高さを調節する。洗濯物の重なりを避け風通し日当たりがよくなるよう、状況に合わせ高さ調節をして洗濯物を乾きやすく干す。
又小物や丈の短い物を干した場合、デッドゾーンとなる下の空間を利用して低い位置で別の洗濯物を干す事が出来る。
さらに下着なども低い位置で干し、外からの目線をはずして干す事もできる。
ピンチ（３）などの洗濯物保持具あたりを持ち、一旦一番下まで引き下げ、もう一度軽く引くと自動的に巻き上がり紐が一番短い状態に戻す事ができる。
又、この状態でしまえば、長い紐が絡まることがない。
【符号の説明】
【００２３】１コードリール、２カードリング、３ピンチ、４クリップ、５洗濯物保持具の取付け穴、６洗濯本体ハンガー本体
【図１】
2018015518.tif 000003
【図２】
2018015518.tif 000004
【図３】
2018015518.tif 000005